(57)【要約】  照明デバイス１１２を制御するための方法及び照明システム１００が開示される。照明システム１００は、複数の向きと複数の光設定との間の関連付けを表す情報を含む信号１１０を生成するための第１のプロセッサ１０４と、信号１１０を送信するための送信機１０６と、を含む、第１のデバイス１０２を含む。照明システム１００は、少なくとも１つの光源１２０と、第１のデバイス１０２から信号１１０を受信するための受信機１１６と、照明デバイス１１２の第１の向きを検出するための向き検出器１１８と、第１の向きに基づき、複数の向きのうちの１つに関連付けられた光設定を選択するための、及び光設定に従い、少なくとも１つの光源１２０の光出力を制御するための第２のプロセッサ１１４と、を含む、照明デバイスを更に含む。
2019515431.tif 000002
【特許請求の範囲】
【請求項１】
照明デバイスを制御する方法であって、前記方法は、
第１のデバイスによって、複数の向きと複数の光設定との間の関連付けを表す情報を含む信号を生成するステップと、
前記信号を送信するステップと、
前記照明デバイスによって、前記信号を受信するステップと、
前記照明デバイスに含まれる向き検出器によって、前記照明デバイスの第１の向きを検出するステップと、
前記第１の向きに基づき、前記複数の向きのうちの１つに関連付けられた光設定を選択するステップと、
選択された前記光設定に従い前記照明デバイスを制御するステップと、
を含む、方法。
【請求項２】
前記照明デバイスの変向を示すユーザ入力を検出するステップと、
前記向き検出器によって、前記照明デバイスの第２の向きを検出するステップと、
前記第２の向きに基づき、前記複数の向きのうちの１つに関連付けられた第２の光設定を選択するステップと、
選択された前記第２の光設定に従い前記照明デバイスを制御するステップと、
を更に含む、請求項１に記載の方法。
【請求項３】
前記複数の向きと前記複数の光設定との間の前記関連付けは、前記第１のデバイスの向きに基づく、請求項１乃至２の何れか一項に記載の方法。
【請求項４】
前記複数の向きと前記複数の光設定との間の前記関連付けは、前記第１のデバイスの光出力に基づく、請求項１乃至３の何れか一項に記載の方法。
【請求項５】
前記照明デバイスの現在位置を示す位置信号を受信するステップを更に含み、前記光設定を選択するステップは、前記照明デバイスの前記現在位置に更に基づく、請求項１乃至４の何れか一項に記載の方法。
【請求項６】
前記光設定を選択するステップは、前記照明デバイスの種類に更に基づく、請求項１乃至５の何れか一項に記載の方法。
【請求項７】
更なる照明デバイスの現在の光設定を示す光設定信号を受信するステップを更に含み、前記光設定を選択するステップは、前記更なる照明デバイスの前記現在の光設定に更に基づく、請求項１乃至６の何れか一項に記載の方法。
【請求項８】
前記更なる照明デバイスの第２の位置を示す第２の位置信号を受信するステップを更に含み、前記光設定を前記選択するステップは、前記更なる照明デバイスの前記第２の位置に更に基づく、請求項７に記載の方法。
【請求項９】
照明デバイスを制御するための照明システムであって、前記照明システムは、
複数の向きと複数の光設定との間の関連付けを表す情報を含む信号を生成するための第１のプロセッサと、前記信号を送信するための送信機と、を含む、第１のデバイスを含み、
前記照明デバイスは、
少なくとも１つの光源と、
前記第１のデバイスから前記信号を受信するための受信機と、
前記照明デバイスの第１の向きを検出するための向き検出器と、
前記第１の向きに基づき、前記複数の向きのうちの１つに関連付けられた光設定を選択するための、及び前記光設定に従い、前記少なくとも１つの光源の光出力を制御するための第２のプロセッサと、
を含む、照明システム。
【請求項１０】
前記照明デバイスは、前記照明デバイスの変向を示すユーザ入力を受信するように構成されており、前記第２のプロセッサは、前記照明デバイスの第２の向きを検出するように、及び前記第２の向きに基づき、前記複数の向きのうちの１つに関連付けられた第２の光設定を選択するように、及び選択された前記第２の光設定に従い前記少なくとも１つの光源の前記光出力を制御するように構成されている、請求項９に記載の照明システム。
【請求項１１】
前記第１のデバイスは、前記第１のデバイスの第２の向きを検出するための第２の向き検出器を含み、前記第１のプロセッサは更に、前記第１のデバイスの前記第２の向きに基づき、前記信号を生成するように構成されている、請求項９又は１０に記載の照明システム。
【請求項１２】
前記第１のデバイスは、光を発するための光源を含み、前記第１のプロセッサは更に、前記第１のデバイスの前記光源の前記光出力に基づき、前記信号を生成するように構成されている、請求項９乃至１１の何れか一項に記載の照明システム。
【請求項１３】
前記第２のプロセッサは更に、前記照明デバイスの現在位置を示す位置信号を受信するように、及び前記光設定を、前記照明デバイスの前記現在位置に更に基づき選択するように構成されている、請求項９乃至１２の何れか一項に記載の照明システム。
【請求項１４】
前記第２のプロセッサは更に、更なる照明デバイスの現在の光設定を示す光設定信号を受信するように、及び前記光設定を、前記更なる照明デバイスの前記現在の光設定に更に基づき選択するように構成されている、請求項９乃至１３の何れか一項に記載の照明システム。
【請求項１５】
照明デバイスであって、
少なくとも１つの光源と、
前記照明デバイスの現在の向きを検出するための向き検出器と、
更なる照明デバイスから入力信号を受信するための受信機と、
更なる照明デバイスに出力信号を送信するための送信機と、
前記照明デバイスをマスタモード及び／又はスレーブモードに設定するためのプロセッサと、
を含み、
前記照明デバイスが前記マスタモードに設定されると、前記プロセッサは、前記現在の向きに基づき、前記少なくとも１つの光源の前記光出力を制御するように、及び前記現在の向きに基づき、複数の向きと複数の光設定との間の関連付けを表す情報を含む出力信号を生成するように構成されており、
前記照明デバイスが前記スレーブモードに設定されると、前記プロセッサは、前記現在の向きに基づき、前記入力信号であって、前記入力信号は、複数の向きと複数の光設定との間の関連付けを表す情報を含む、入力信号から光設定を選択するように、及び選択された前記光設定に従い、前記少なくとも１つの光源の前記光出力を制御するように構成されている、
照明デバイス。
【発明の詳細な説明】
【技術分野】
【０００１】
本発明は、照明デバイスを制御する方法に関する。本発明は更に、照明デバイスを制御するための照明システムに関する。本発明は更に、照明デバイスに関する。
【背景技術】
【０００２】
将来及び現在の家庭環境及び職場環境は、アンビエント照明、雰囲気照明、アクセント照明、又はタスク照明を生成するための多数の照明デバイスを含む。これら照明デバイスは、例えば、スマートフォンなどのスマートデバイスにより（無線）ネットワークを介して、又はスイッチ若しくはコントロールパネルを介して制御されてもよい。他の種類の照明制御は、制御可能な照明デバイスとの物理的相互作用を必要とする。物理的相互作用を介して制御されてもよい照明デバイスの一例は、国際公開第２００６０３８１３５（Ａ１）号に開示されており、ポータブル照明デバイスの発光が照明デバイスの向きに基づく。
【０００３】
家庭環境及び職場環境におけるスマート照明デバイスの増加は、シーン設定（即ち、１つ以上の照明デバイスを、それらが一貫した光効果、例えば、夕暮れ光の効果、オフィス光効果、パーティ光効果等を生成するように制御すること）を可能にしている。現在のシステムでは、ユーザはこれらシーンを、スマートデバイスのユーザインタフェース、スイッチ、又は照明コントロールパネルを介して選択してもよい。このようなシステムでは、１つ以上の照明デバイスは予め設定された光設定に従い制御され、これら効果が環境にどのように影響するかは考慮しておらず、それゆえ、ユーザの期待に添わない光シーン（効果）を生成する可能性がある。このため、当該技術分野では、光シーンが、１つ以上の照明デバイスに、自動的に、それらが光効果を適切な手法で伝えるようなやり方で適用される必要がある。
【０００４】
国際公開第２００６／０７５２９７（Ａ１）号は、複数のリモートコントロール式照明デバイスであって、それぞれが、一対の軸の周りに方向付けられ得る支持物と、支持物によって支持された複数の光源と、一対の軸の周りの支持物の向きを制御するためのモータ手段と、を含む、複数のリモートコントロール式照明デバイスと、いくつかの照明コンフィグレーションであって、そのそれぞれについて、支持物の向きと、各照明デバイスの各光源によって発せられる光の輝度とが設定される、いくつかの照明コンフィグレーションをプログラミングするためのプログラミング手段と、いくつかのプログラムされた照明コンフィグレーションを記憶するための記憶手段と、記憶された照明コンフィグレーションのうちの何れか１つを呼び出すための選択手段と、を含む、リモートコントロールシステムと、を含む、照明システムに関する。
【発明の概要】
【発明が解決しようとする課題】
【０００５】
本発明の目的は、１つ以上の照明デバイスを、それらが光シーンを適切な手法で補完するように制御する照明システムを提供することである。本発明の更なる目的は、ユーザが１つ以上の照明デバイスの光出力を直感的手法で調整することを可能にすることである。
【課題を解決するための手段】
【０００６】
本発明の第１の態様によれば、目的は、照明デバイスを制御する方法によって達成され、方法は、
第１のデバイスによって、複数の向きと複数の光設定との間の関連付けを表す情報を含む信号を生成するステップと、
信号を送信するステップと、
照明デバイスによって、信号を受信するステップと、
照明デバイスの第１の向きを検出するステップと、
第１の向きに基づき、複数の向きのうちの１つに関連付けられた光設定を選択するステップと、
選択された光設定に従い照明デバイスを制御するステップと、
を含む。
【０００７】
第１のデバイスは、複数の向きと複数の光設定との間の関連付けを表す情報を含む信号を生成する。これは、第１のデバイスが光シーンを決定することを可能にし、光シーンは、複数の光設定（例えば、照明デバイスの光出力の色、輝度又は彩度を制御するための照明制御命令）によって定義され、１つ以上の照明デバイスによって適用されてもよい。照明デバイスは信号を受信してもよく、その後、照明デバイスは、照明デバイスの向きと複数の向きのうちの１つとの間の類似性判定基準（例えばしきい値）が満たされているかどうかを決定するために、その向き（第１の向き）を、信号に含まれる情報に含まれる複数の向きと比較する。類似性判定基準が満たされている場合、複数の向きのうちの１つに関連付けられた光設定が選択される。光設定が選択された後、照明デバイスの光出力は、選択された光設定に従い制御される。したがって、照明デバイスは、（第１のデバイスによって決定された）光シーンを適切な手法で補完するように制御される。
【０００８】
方法の一実施形態では、方法は、
照明デバイスの変向を示すユーザ入力を検出するステップと、
照明デバイスの第２の向きを検出するステップと、
第２の向きに基づき、複数の向きのうちの１つに関連付けられた第２の光設定を選択するステップと、
選択された第２の光設定に従い照明デバイスを制御するステップと、
を更に含む。
【０００９】
ユーザは、照明デバイスの向きを変えるためのユーザ入力を与えてもよく、その後、新たな向き（即ち第２の向き）が検出される。新たな向きを検出すると、新たな向きは、照明デバイスの新たな向きと複数の向きのうちの１つとの間の類似性判定基準（例えばしきい値）が満たされているかどうかを決定するために、信号に含まれる情報に含まれる複数の向きと比較される。類似性判定基準が満たされている場合、複数の向きのうちの１つに関連付けられた第２の光設定が選択される。第２の光設定が選択された後、照明デバイスの光出力は、選択された光設定に従い制御される。これは、ユーザが、（第１のデバイスによって決定された）光シーンを適切な手法で補完する光出力を選択するために、照明デバイスの向きを変えることを可能にするので、有益である。
【００１０】
方法の一実施形態では、複数の向きと複数の光設定との間の関連付けは、第１のデバイスの向きに基づく。この実施形態では、第１のデバイスは、信号に含まれる複数の向きと複数の設定との間の関連付けを、第１のデバイス自身の向きに基づき決定する。したがって、光シーンは、第１のデバイスによって（及び第１のデバイスの向きに基づき）決定される。これは、ユーザが、光シーンを選択する／設定するために第１のデバイス（例えば、スマートデバイス又は照明デバイス）を方向付けることを可能にするので、有益である。
【００１１】
方法の一実施形態では、複数の向きと複数の光設定との間の関連付けは、第１のデバイスの光出力に基づく。この実施形態では、第１のデバイス（例えば照明デバイス）は、光出力を発するように構成された光源を含む。第１のデバイスは、信号に含まれる複数の向きと複数の設定との間の関連付けを、第１のデバイス自身の光出力に基づき決定する。したがって、光シーンは、第１のデバイスによって（及び第１のデバイスの光出力に基づき）決定される。これは、第１のデバイスが第１のデバイスの現在の光出力を補完する光シーン（即ち複数の設定）を生成することを可能にするので、有益である。
【００１２】
方法の一実施形態では、方法は、照明デバイスの現在位置を示す位置信号を受信するステップを更に含み、光設定を選択するステップは、照明デバイスの現在位置に更に基づく。この実施形態は、照明デバイスが、その光出力を、（空間に対する、第１のデバイスに対する、更なる照明デバイスに対する、等であってもよい）その位置に更に基づき決定することを可能にする。照明デバイスが光シーンを更に一層補完することを可能にするので、どの光設定が特定の位置に最も好適であるかを決定することは有益である。
【００１３】
方法の一実施形態では、光設定を選択するステップは、照明デバイスの種類に更に基づく。異なる種類の照明デバイスは、光シーンを異なる手法で補完する。キャビネットの下に取り付けられたＬＥＤストリップは、例えば、間接光を供給してもよい一方、天井に取り付けられたＴＬＥＤ（管形ＬＥＤ）は指向性の光を供給してもよく、その一方、白熱電球は全指向性の光を供給してもよい。したがって、照明デバイスが光シーンを更に一層補完することを可能にするので、照明デバイスの光出力（光設定）を、その種類に基づき決定することが有益である。
【００１４】
方法の一実施形態では、方法は、更なる照明デバイスの現在の光設定を示す光設定信号を受信するステップを更に含み、光設定を選択するステップは、更なる照明デバイスの現在の光設定に更に基づく。この実施形態は、照明デバイスがその光出力を、更なる照明デバイスの光出力に更に基づき決定すること、それによって、更なる照明デバイスの光設定を補完することを可能にする。付加的に、方法は、更なる照明デバイスの第２の位置を示す第２の位置信号を受信するステップを更に含んでもよく、光設定を選択するステップは、更なるデバイスの第２の位置に更に基づく。この実施形態は、照明デバイスがその光出力を、更なる照明デバイスの位置に更に基づき決定すること、それによって、更なる照明デバイスの光設定を補完することを可能にする。
【００１５】
本発明の第２の態様によれば、目的は、照明デバイスを制御するための照明システムによって達成され、照明システムは、
複数の向きと複数の光設定との間の関連付けを表す情報を含む信号を生成するための第１のプロセッサと、信号を送信するための送信機と、を含む、第１のデバイス
を含み、
照明デバイスは、
少なくとも１つの光源と、
第１のデバイスから信号を受信するための受信機と、
照明デバイスの第１の向きを検出するための向き検出器と、
第１の向きに基づき、複数の向きのうちの１つに関連付けられた光設定を選択するための、及び光設定に従い、少なくとも１つの光源の光出力を制御するための第２のプロセッサと、
を含む。
【００１６】
請求される照明システムは、請求される方法と類似の及び／又は同一の実施形態及び利点を有してもよいことは理解すべきである。
【００１７】
本発明の第３の態様によれば、目的は、
少なくとも１つの光源と、
照明デバイスの現在の向きを検出するための向き検出器と、
更なる照明デバイスから入力信号を受信するための受信機と、
更なる照明デバイスに出力信号を送信するための送信機と、
照明デバイスをマスタモード及び／又はスレーブモードに設定するためのプロセッサと、を含み、
照明デバイスがマスタモードに設定されると、プロセッサは、現在の向きに基づき、少なくとも１つの光源の光出力を制御するように、及び現在の向きに基づき、複数の向きと複数の光設定との間の関連付けを表す情報を含む出力信号を生成するように構成されており、
照明デバイスがスレーブモードに設定されると、プロセッサは、現在の向きに基づき、入力信号であって、入力信号は、複数の向きと複数の光設定との間の関連付けを表す情報を含む、入力信号から光設定を選択するように、及び選択された光設定に従い、少なくとも１つの光源の光出力を制御するように構成されている、
照明デバイスによって達成される。
【００１８】
照明デバイスは、添付の特許請求の範囲の照明システムによるあらゆる照明システムで使用されてもよい。照明デバイスのプロセッサは、照明デバイスの動作モードを、マスタモードとスレーブモードとの間で切り換えることができる。マスタモードでは、更なる照明デバイスに通信されてもよい光シーンは、照明デバイスの向きに基づき決定され、照明デバイスの光出力は、照明デバイス自身の向きに基づき制御される。スレーブモードでは、照明デバイスの光出力は、照明デバイスの向き及び更なる照明デバイスから受信された光シーンに基づく。この二重機能は、ユーザが複数のこのような照明デバイスを照明システムに取り付けること、マスタの役割を１つの照明デバイスに割り当てることを可能にし、その後、その他全ての照明デバイスの光出力がそれら各々の向き及びマスタ照明デバイスによって生成された光シーンに従い制御されるので、有益である。これは更に、ユーザがスレーブ照明デバイスの向きを、それらの光出力が新たな向きに従い制御されるように変更することを可能にする一方で、スレーブデバイスはマスタ照明デバイスによって定義される光シーンをなお補完する。更に、これは、ユーザが、マスタ照明デバイスの向きを変えることによって光シーンを選択することを可能にし、光シーン（即ち、複数の向きと光設定との間の関連付けを含む信号）は、その後、スレーブデバイスによって、それら各々の向きに従い適用される。この照明デバイスの別の利点は、ユーザがマスタの役割を第１の照明デバイスから第２の照明デバイスに割り当てることができ、その後、第２の照明デバイスは、光シーンを設定する／選択するための「ユーザインタフェース」になることである。
【００１９】
請求される照明デバイスは、請求される方法と類似の及び／又は同一の実施形態及び利点を有してもよいことは理解すべきである。
【図面の簡単な説明】
【００２０】
開示される方法、システム、及びデバイスの、上記の目的、特徴、及び利点、並びに、付加的な目的、特徴、及び利点は、添付図面を参照し、システム、デバイス、及び方法の以下の例示的かつ非限定的な実施形態の詳細な説明を通じて、より良好に理解されるであろう。
【図１】本発明による、照明デバイスを制御するための照明システムの一実施形態を概略的に示す。
【図２】本発明による、第１の向き及び第２の向きに従い照明デバイスを制御するための照明システムの一実施形態を概略的に示す。
【図３】照明デバイスが別の照明デバイスの向きに基づき制御される、本発明による、照明デバイスを制御するための照明システムの一実施形態を概略的に示す。
【図４】照明デバイスがその位置及びその向きに基づき制御される、本発明による、照明デバイスを制御するための照明システムの一実施形態を概略的に示す。
【図５】本発明による、照明デバイスを制御するための方法を概略的に示す。
【図６】本発明による照明システムの一実施形態であって、照明システムは、第１の動作モード及び第２の動作モードに従い制御されるように構成された複数の照明デバイスを含む、一実施形態を概略的に示す。
【図７】本発明による、第１の動作モード又は第２の動作モードに従い照明デバイスを制御するための方法を概略的に示す。
【００２１】
これらの図は全て、概略的なものであって、必ずしも正しい縮尺ではなく、全般的に、本発明を解明するために必要な部分のみを示すものであり、他の部分は、省略される又は単に示唆されることがある。
【発明を実施するための形態】
【００２２】
図１は、本発明による、照明デバイス１１２を制御するための照明システム１００の一実施形態を概略的に示す。照明システム１００は、複数の向きと複数の光設定との間の関連付けを表す情報を含む信号１１０を生成するための第１のプロセッサ１０４と、信号１１０を送信するための送信機１０６と、を含む、第１のデバイス１０２を含む。照明システム１００は、少なくとも１つの光源１２０と、第１のデバイス１０２から信号１１０を受信するための受信機１１６と、照明デバイス１１２の第１の向きを検出するための向き検出器１１８と、第１の向きに基づき、複数の向きのうちの１つに関連付けられた光設定を選択するための、及び光設定に従い、少なくとも１つの光源１２０の光出力を制御するための第２のプロセッサ１１４と、を含む、照明デバイスを更に含む。第１のデバイス１０２は、複数の向きと複数の光設定との間の関連付けを表す情報を含む信号１１０を生成する。これは、第１のデバイス１０２の第１のプロセッサ１０４が光シーンを決定することを可能にし、光シーンは、複数の光設定（例えば、照明デバイスの光出力の色、輝度又は彩度を制御するための照明制御命令）によって定義され、光設定のうちの１つが照明デバイス１１２に適用されてもよい。照明デバイス１１２の受信機１１６は信号１１０を受信してもよく、向き検出器１１８は照明デバイス１１２の向きを検出してもよく、その後、第２のプロセッサ１１４は、照明デバイス１１２の向きと複数の向きのうちの１つとの間の類似性判定基準（例えばしきい値）が満たされているかどうかを決定するために、その向き（第１の向き）を、信号１１０に含まれる情報に含まれる複数の向きと比較する。類似性判定基準が満たされている場合、複数の向きのうちの１つに関連付けられた光設定が選択される。光設定が選択された後、第２のプロセッサ１１４は、選択された光設定に従い、照明デバイス１１２の光出力を制御する。したがって、照明デバイスは、（第１のデバイスによって決定された）光シーンを補完するように制御される。これは、ユーザが第１のデバイス１０２、例えばスマートフォンにおいて光シーン（例えば、様々な白色光設定及び青色光設定を含む「作業」設定）を選択することを可能にする。スマートフォンは、複数の向きと複数の光設定との間の関連付けを含む信号を、１つ以上の照明デバイス１１２に通信してもよい。信号は、例えば、第１の照明デバイス、例えば下向きのデスクランプによって受信されてもよく、その後、デスクランプの光出力は、デスクランプの現在の向きに関連付けられた光シーンによる（例えば、高輝度白色光がテーブル表面を照明する）光設定に従い制御される。ユーザは、その後、（例えば、デスクランプを、天井の方に向きを変えることによって）デスクランプの向きを変えてもよく、その後、デスクランプの光出力は、デスクランプの新たな向きに関連付けられた光シーンによる光設定（例えば青色光）に従い制御される。したがって、ユーザは、光シーン（即ち、複数の光設定）の範囲内で照明デバイス１１２の光出力を制御することができる。
【００２３】
第１のデバイス１０２は、信号１１０を生成するように構成されたプロセッサ１０４（例えば、マイクロチップ、回路、マイクロプロセッサ等）を含むあらゆる種類のデバイスであってもよい。第１のデバイス１０２は、例えば、スマートフォン又は（タブレット）ｐｃなどのデバイス、スマートウォッチ、スマートゴーグルなどのウェアラブルデバイス、照明デバイス等であってもよい。第１のデバイス１０２は、照明デバイス１１２に信号１１０を送信するための送信機１０６を更に含む。送信機１０６は、任意の有線通信プロトコル又は無線通信プロトコルを介して信号１１０を送信するためのハードウェアを含んでもよい。照明デバイスの受信機１１６は、任意の有線通信プロトコル又は無線通信プロトコルを介して信号１１０を受信するためのハードウェアを含んでもよい。例えば、Ｅｔｈｅｒｎｅｔ（登録商標）、ＤＭＸ、ＤＡＬＩ、ＵＳＢ、Ｂｌｕｅｔｏｏｔｈ（登録商標）、Ｗｉ−Ｆｉ、Ｌｉ−Ｆｉ、３Ｇ、４Ｇ、又はＺｉｇＢｅｅ（登録商標）である、様々な有線通信プロトコル及び無線通信プロトコルが使用されてもよい。特定の通信技術は、第１のデバイス１０２の通信性能又は照明デバイス１１２の通信性能、（無線）通信技術用の通信ドライバの消費電力及び／又は信号の通信範囲に基づき選択されてもよい。
【００２４】
第１のデバイス１０２によって送信される信号１１０はプロセッサ１０４によって生成され、複数の向きと複数の光設定との間の関連付けを表す情報を含む。光設定は、複数の照明デバイスのための照明制御設定の情報を含んでもよい（光設定は、例えば、照明デバイス１１２を特定の色、輝度及び／又は彩度に設定するための命令を含んでもよい）。信号は、これら関連付けを含むルックアップテーブルを含んでもよい。表１は、このようなルックアップテーブルの一例を示す。表１では、光設定はＲＧＢＩ（赤、緑、青、輝度）値として示されるが、光設定を照明デバイスに通信するためにあらゆる光／色スキームが使用されてもよいことに留意されたい。
【００２５】
照明デバイス１１２は、プロセッサ１１４によって制御されるように構成された少なくとも１つの光源１２０を含む。少なくとも１つの照明源は、光出力を供給するように構成されたあらゆる種類の光源であってもよい。例としては、ＬＥＤ光源、ＯＬＥＤ光源、白熱光源、蛍光光源、高輝度放電光源等が挙げられるが、これらに限定されない。照明デバイス１１２は、全般照明、タスク照明、アンビエント照明、雰囲気照明、アクセント照明、屋内照明、屋外照明等を供給するように構成されてもよい。照明デバイス１１２は、照明用器具又は照明器具内に取り付けられてもよく、ＬＥＤストリップなどの独立型照明デバイスであってもよく、ポータブル照明デバイス（例えば、ＬＥＤキューブ、ＬＥＤ球、物体／動物形の照明デバイスなどの手のひらサイズのデバイス等）であってもよく、ウェアラブル照明デバイス（例えば、光ブレスレット、光ネックレス等）であってもよい。
【００２６】
照明デバイス１１２は、向き検出器１１８を更に含む。向き検出器１１２は、照明デバイス１１２の向きを決定するために、ジャイロスコープ、磁力計、傾きセンサ等などの向きセンサを含んでもよい。照明デバイス１１２の向きは、Ｘ軸、Ｙ軸及びＺ軸の周りにおける照明デバイス１１２のロール、ピッチ及びヨーによって定義されてもよい。あるいは、向きセンサは、向きを示す値を供給するために、基準重力ベクトルと比較した重力ベクトルの位置を決定することができてもよい。照明デバイス１１２の向きを検出すると、向き検出器１１８は、向きをプロセッサ１１４に通信するために、向き信号を生成してもよい。プロセッサ１１４は、照明デバイスの向きと複数の向きのうちの１つとの間の類似性判定基準が満たされているかどうかを決定するために、照明デバイスの向きを、信号に含まれる複数の向きと比較してもよい。類似性判定基準が満たされている場合、複数の向きのうちの１つに関連付けられた光設定が選択される。光設定が選択された後、照明デバイスの光出力は、選択された光設定に従い制御される。
【００２７】
【表１】
2019515431.tif 000003
【００２８】
例示的実施形態では、照明デバイス１１２のプロセッサ１１４は、どの光設定が照明デバイス１１２の向きに関連付けられるかを決定するために使用される表１の関連付けを含む信号１１０を受信する。この例では、検出器は、（Ｘ軸の周りの０°の回転、Ｙ軸の周りの８８°の回転、及びＺ軸の周りの１７０°の回転を表す）向き（０，８８，１７０）を検出してもよく、類似性判定基準（例えば、１０％の誤差範囲）に基づき、向き５（０，９０，１８０）との十分な類似性が存在すると決定してもよい。プロセッサ１１２は、したがって、照明デバイスの光出力を、光設定５（２７，１８０，１２０，４６）に従い制御してもよい（Ｒ、Ｇ、Ｂ及びＩは、０〜２５５のスケールにおける光設定の赤、緑、青及び光の輝度の値を表す）。
【００２９】
照明デバイス１１２は、照明デバイス１１２の変向を示すユーザ入力を受信するように構成されてもよい。照明デバイス１１２の向きを変えると、向き検出器１１８は、照明デバイス１１２の第２の向きを検出してもよい。向き検出器１１８から第２の向きを受信すると、第２のプロセッサ１１４は、第２の向きに基づき、複数の向きのうちの１つに関連付けられた第２の光設定を選択してもよく、その後、第２のプロセッサ１１４は、選択された第２の光設定に従い、少なくとも１つの光源１２０の光出力を制御してもよい。図２は、照明デバイス２００の変向２０６の一例を示す。この例では、照明デバイス２００は、第１のデバイス２０８（例えば、スマートフォン）から信号２１０を受信するための受信機（図示せず）と、ランプシェード２０２に含まれる向きセンサ（図示せず）と、第２のプロセッサ（図示せず）と、を含む、デスクランプである。ユーザは、第１の位置２０２から第２の位置２０４に、ランプシェード２０２（及びそれと共に向きセンサ）の向きを変えてもよい。変向を検出すると、第２のプロセッサは、第２の向き２０４と関連付けられた光設定に従い、照明デバイス２００の光出力を制御してもよい。
【００３０】
第１のデバイス１０２は、光シーンの選択に関連するユーザ入力を受信するためのユーザインタフェースを含んでもよい。第１のデバイスは、第１のユーザ入力及び第２のユーザ入力を受信するように構成されたあらゆる種類のユーザインタフェースを含んでもよい。ユーザインタフェースは、例えば、タッチ入力を受信するためのタッチパッド、タッチスクリーン、１つ以上のボタン及び／又は１つ以上のスライダなどのタッチ感知デバイスを含んでもよい。ユーザインタフェースは、選択された光シーンに基づき信号１１０を生成してもよいプロセッサ１０４に結合されてもよい。ユーザは、例えば、「日没」光シーンのアイコンを選択してもよく、その後、プロセッサ１０４は信号を生成し、信号は、向きと光設定との間の関連付け（例えば、上方の向きは濃青色光設定と関連付けられてもよく、下方の向きは橙色光設定と関連付けられてもよい）を含む。
【００３１】
第１のデバイス１０２は、第１のデバイス１０２の第２の向きを検出するための第２の向き検出器１０８を含んでもよい。第１のデバイス１０２の第１のプロセッサ１０４は更に、第１のデバイス１０２の第２の向きに基づき、光シーン（即ち、複数の向きと複数の光設定との間の関連付けを表す情報を含む信号）を生成するように構成されてもよい。これは、ユーザが第１のデバイス１０２の向きを変えることによって照明デバイス１１２の光シーンを選択することを可能にする。第１のデバイスは、例えば、照明デバイスであってもよい。図３は、第１の照明デバイス３００と、シャンデリア３１０に含まれる複数の第２の照明デバイス３１２、３１４、３１６、３１８と、を含む、照明システムの一例を示す。デスクランプ３００の第１のプロセッサ（図示せず）は、照明デバイス３０２の向きを示す情報を受信してもよく、向きに基づき信号３０８を生成してもよい。照明デバイス３０２は、例えば、下方に向けられてもよく（これは、「オフィス」光設定を示し得る）、その後、第１のプロセッサは、下方の向きと白色光設定との間の第１の関連付けと、上方の向きと有色（例えば橙色）光設定との間の第２の関連付けと、水平の向きと「オフ」光設定（即ち、ゼロの明度を有する光）との間の第３の関連付けと、を含む、信号（光シーン）を生成する。この信号３０８に基づき、下向きの照明デバイス３１２及び３１４は、（タスク照明を供給するための）白色光設定に従い制御されてもよく、上向きの照明デバイス３１８は（アンビエント照明を供給するための）有色光設定に従い制御されてもよく、その一方で、水平に向けられた照明デバイス３１６は（グレアの可能性を低減するために）オフにされてもよい。オプションとして、ユーザは、照明デバイス３１２、３１４、３１６及び／又は３１８の向きを、それらの光出力を光シーンに従い変更するために変えてもよい。ユーザは、照明デバイス３０２の向きを向き３０２から向き３０４に変えてもよく（３０６）、その後、第１のデスクランプ３００の第１のプロセッサ（図示せず）は照明デバイス３０２の変向を示す情報を受信してもよく、新たな向き３０４に基づき新たな信号３０８を生成してもよい。新たな向き３０４によって、照明デバイスは上方に向けられ（これは、「アンビエント」光設定を示し得る）、その後、第１のプロセッサは、下方の向きと「オフ」光設定との間の第１の関連付けと、上方の向きと高明度を有する有色（例えば橙色）光設定との間の第２の関連付けと、水平の向きと低明度を有する有色（例えば赤色）光設定との間の第３の関連付けと、を含む、信号（光シーン）を生成する。この新たな信号３０８に基づき、下向きの照明デバイス３１２及び３１４はオフにされてもよく、上向きの照明デバイス３１８は（アンビエント照明を供給するための）高輝度を有する有色光設定に従い制御されてもよく、一方で、水平に向けられた照明デバイス３１６は、（アンビエント照明を供給するための）低輝度を有する有色光設定に従い制御されてもよい。
【００３２】
付加的に又は代替的に、第１のデバイス１０２の第１のプロセッサ１０４は、更に、第１のデバイス１０２の光出力に基づき、光シーン（即ち、複数の向きと複数の光設定との間の関連付けを表す情報を含む信号）を生成するように構成されてもよい。再度図３を参照すると、デスクランプ３００の第１のプロセッサ（図示せず）は、照明デバイス３０２の現在の光出力を示す情報を受信してもよく、現在の光出力に基づき信号３０８を生成してもよい。照明デバイス３０２は、例えば、白色光を発してもよく、その後、第１のプロセッサは、下方の向きと白色光設定との間の第１の関連付けと、上方の向きと赤色光設定との間の第２の関連付けと、水平の向きと黄色光設定との間の第３の関連付けと、を含む、信号（光シーン）を生成する。この信号３０８に基づき、下向きの照明デバイス３１２及び３１４は白色光設定に従い制御されてもよく、上向きの照明デバイス３１８は赤色光設定に従い制御されてもよく、水平に向けられた照明デバイス３１６は橙色光設定に従い制御されてもよい。ユーザは、例えば、照明デバイス３０２においてユーザ入力を与えることによって（例えば、スイッチを押すことによって、照明デバイス３０２のタッチ感知面上にタッチ入力を与えることによって、等）、又は照明デバイス３０２に接続されたスマートデバイスにおいてユーザ入力を与えることによって、照明デバイス３０２の光出力を変更してもよい。ユーザは、例えば、照明デバイス３０２の暖黄色光出力を選択してもよく、その後、第１のデスクランプ３００の第１のプロセッサ（図示せず）は、新たな光出力に基づき新たな信号３０８を生成してもよく、新たな信号（光シーン）は、下方の向きと低明度を有する暖黄色光設定との間の第１の関連付けと、上方の向きと高明度を有する暖黄色光設定との間の第２の関連付けと、水平の向きと中明度を有する暖黄色光設定との間の第３の関連付けと、を含む。この新たな信号３０８に基づき、照明デバイス３１２、３１４、３１６及び３１８は適宜制御される。これは、照明デバイス３１２、３１４、３１６及び３１８が照明デバイス３０２の光出力を補完するように制御されるという利点を提供する。
【００３３】
第２のプロセッサ１１４は、更に、更なる照明デバイス（図示せず）の現在の光設定を示す光設定信号を受信するように構成されてもよい。第２のプロセッサ１１４は、更に、更なるデバイスの光設定に基づき、第１のデバイス１０２から受信された複数の光設定から光設定を選択するように構成されてもよい。光設定信号は、受信機を介して（例えば、上述の通信プロトコルの何れかを介して）又は任意の他の受信手段を介して受信されてもよい。特定の光シーンでは、２つの照明デバイスが同じ光出力を発すること、又は２つの照明デバイスが異なる光出力を発することの何れかが必要とされ得るので、これは有利であり得る。
【００３４】
第２のプロセッサ１１４は、更に、照明デバイス１１２の現在位置を示す位置信号を受信するように、及び光設定を、照明デバイス１１２の現在位置に更に基づき選択するように構成されてもよい。照明デバイス１１２は、その位置を決定するための位置センサを含んでもよい。照明デバイス１１２の位置は、照明デバイス１１２が配置された空間に対してもよく、又は空間内に配置された１つ以上の更なる照明デバイスの位置に対してもよい。照明システム１００は、照明デバイス１１２の位置、及びオプションとして、第１のデバイス１０２又は更なる照明デバイスの位置を決定するために、位置決めシステムを更に含んでもよい。このような位置決めシステムの一例は、照明デバイス１１２と通信してもよい、空間の全体にわたり分布する複数の無線周波数（radio frequency；ＲＦ）ビーコンを使用する（屋内）位置決めシステムである。位置センサは、例えば、ＲＦ信号をビーコンに送信する及び／又はビーコンから受信するように構成されたＲＦトランシーバであってもよい。位置決めシステムは、例えば、ビーコンから受信されたＲＦ信号の飛行時間（time-of-flight；ＴＯＦ）に基づき、又はビーコンから受信されたＲＦ信号の受信された信号強度に基づき、ビーコンの位置に対する照明デバイス１１２の位置を計算するために、三角測量又は三辺測量を使用してもよい。
【００３５】
図４は、第１のデバイス４００と、第１の照明デバイス４１２と、第２の照明デバイス４１４と、を含む、照明システムの一例を示す。第１の照明デバイス４１２及び第２の照明デバイス４１４は、空間に対する又は第１のデバイス４００に対するそれらの現在位置を示す位置信号を受信するための第２のプロセッサ（図示せず）を含んでもよい。第１のデバイス４００の第１のプロセッサ（図示せず）は信号を生成するように構成されてもよく、信号は、（相対的又は絶対的）位置と光設定との間の複数の関連付けを更に含む。照明デバイス４１２、４１４の第２のプロセッサは、照明デバイスの位置と複数の位置のうちの１つとの間の類似性判定基準が満たされているかどうかを決定するために、照明デバイスの位置を、信号に含まれる複数の位置と比較してもよい。類似性判定基準が満たされている場合、複数の位置のうちの１つと関連付けられた光設定が選択される。光設定が選択された後、照明デバイスの光出力は、選択された光設定に従い制御される。これは、第１のデバイス４００が、受信する照明デバイス４１２、４１４によって適用される光シーンを生成することを可能にし、光シーンは、照明デバイ４１２、４１４の向きに基づくだけでなく、それらの位置にも基づく。
【００３６】
デスクランプ４００の第１のプロセッサ（図示せず）は、照明デバイス４０２の向き及び位置を示す情報を受信してもよく、向きに基づき信号４０８を生成してもよい。照明デバイス４０２は、例えば、下方に向けられてもよく（これは、「オフィス」光設定を示し得る）、その後、第１のプロセッサは、下方の向きと、第１の位置と、白色光設定との間の第１の関連付けと、下方の向きと、第２の位置と、「オフ」光設定との間の第２の関連付けと、を含む、信号４０８（光シーン）を生成する。関連付けの生成は、第１のデバイス４００の位置に更に基づいてもよい。この信号４０８に基づき、下向きの照明デバイス４１２は、第１の位置に配置されているので、（タスク照明を供給するための）白色光設定に従い制御されてもよく、下向きの照明デバイス４１４は、第２の位置に配置されているので、（例えば、第１のデバイス４１０に配置された、例えばノート型パソコンを照明デバイス４１４の光源が照明する際の光源の反射を防ぐための）「オフ」光設定に従い制御されてもよい。オプションとして、ユーザは、照明デバイス４１２及び照明デバイス４１４の向きを、それらの光出力を光シーンに従い変更するために変えてもよい。ユーザは、照明デバイス４０２の向きを向き４０２から向き４０４に変えてもよく（４０６）、その後、第１のプロセッサは、下方の向きと、第１の位置と、低明度光設定との間の第１の関連付けと、下方の向きと、第２の位置と、中明度光設定との間の第２の関連付けと、を含む、新たな信号４０８（光シーン）を生成する。関連付けの生成は、第１のデバイス４００の位置に更に基づいてもよい。この新たな信号４０８に基づき、下向きの照明デバイス４１２は、第１の位置に配置されている（第１のデバイス４００の近傍に配置されており、高明度の出力を供給することは必要とされない）ので、低光設定に従い制御されてもよく、下向きの照明デバイス４１４は、第２の位置に配置されているので、中明度光設定に従い制御されてもよい。
【００３７】
付加的に又は代替的に、照明デバイス４１２、４１４の第２のプロセッサは、更に、更なる照明デバイスの第２の位置を示す第２の位置信号を受信するように構成されてもよく、第２のプロセッサは、更に、光設定を、更なる照明デバイスの第２の位置に更に基づき選択するように構成されてもよい。
【００３８】
照明システム１００は、光シーンを定義するためのユーザ入力を受信するように構成されたユーザインタフェースを更に含んでもよい。照明システムは、定義された光シーンをメモリに記憶してもよい。一実施形態では、ユーザは２つ以上の極端な向きにおける光設定を定義してもよく、システムはこれら極端な向き間の向きにおける所望の設定を補間してもよい。これは、２つの光設定間の連続的な制御を可能にする。例えば、ユーザは、上方の向き及び下方の向きに対する所望の光設定を指定してもよい。システムは、その後、上方の向きと下方の向きとの間の全ての向きに対し補間された光設定を計算してもよい。例えば、リニア補間又はスプライン補間を含む様々な種類の補間が使用され得る。ユーザインタフェースは、選択可能な光シーンを表示するように及び／又は１つ以上の照明デバイスの現在の光設定（即ち、現在の光シーン）を表示するように構成されたディスプレイを更に含んでもよい。ランプアイコンがディスプレイ上にレンダリングされてもよく、ランプアイコンは、検出された向き及び関連付けられた光設定を可視化する。
【００３９】
第２のプロセッサ１１４は、更に、光設定を、照明デバイス１１２の種類に更に基づき選択するように構成されてもよい。付加的に、第１のデバイス１０２の第１のプロセッサ１０４は、更に、信号を生成するように構成されてもよく、信号は、デバイスの種類と、向きと、光設定との間の複数の関連付けを更に含む。ＬＥＤストリップは、例えば、電球と比較して異なる光設定を必要としてもよく、有色光発光電球は白色光発光電球と比較して異なる光設定を必要としてもよい。
【００４０】
照明デバイス１１２は複数の光源を含んでもよく、第２のプロセッサは、更に、照明デバイス１１２の向きに基づき、複数の光設定を複数の光設定から選択するように、及び複数の光源を選択された複数の光設定に従い制御するように構成されてもよい。照明デバイス１１２は、例えば、個々に制御可能な光源の（リニア）アレイを含んでもよい。これは、照明デバイスが、第１のデバイス１０２によって生成された光シーンを補完する光効果を生成することを可能にする。
【００４１】
図５は、本発明による、照明デバイスを制御するための方法５００を概略的に示す。方法５００は、
第１のデバイスによって、複数の向きと複数の光設定との間の関連付けを表す情報を含む信号を生成するステップ５０２と、
信号を送信するステップ５０４と、
照明デバイスによって、信号を受信するステップ５０６と、
照明デバイスの第１の向きを検出するステップ５０８と、
第１の向きに基づき、複数の向きのうちの１つに関連付けられた光設定を選択するステップ５１０と、
選択された光設定に従い照明デバイスを制御するステップ５１２と、
を含む。
【００４２】
付加的に、方法は、照明デバイスの向きを変えるステップ５１４を含んでもよい。変向は、検出されてもよく（５０８）、その後、光設定を選択するステップ５１０と、選択された光設定に従い照明デバイスを制御するステップ５１２と、が繰り返される。
【００４３】
実施形態では、照明システムは複数の照明デバイスを含んでもよく、複数の照明デバイスは、上記実施形態に記載されるように、第１のデバイス１０２又は照明デバイス１１２の何れかとして機能してもよい。このような照明システムは、図６に示される。複数の照明デバイス６００のそれぞれは、少なくとも１つの光源６２０と、照明デバイス６００の現在の向きを検出するための向き検出器６１８と、を含む。各照明デバイス６００は、更なる照明デバイスから入力信号を受信するための受信機６１６と、更なる照明デバイスに出力信号を送信するための送信機６１６と、を更に含む。受信機６１６と送信機６１６は、１つのトランシーバ６１６に組み合わせられてもよい。各照明デバイスは、照明デバイスをマスタモード及び／又はスレーブモードに設定するためのプロセッサ６１４を更に含み、照明デバイス６００がマスタモードに設定されると、プロセッサ６１４は、現在の向きに基づき、少なくとも１つの光源６１８の光出力を制御するように、及び現在の向きに基づき、複数の向きと複数の光設定との間の関連付けを表す情報を含む出力信号６１０を生成するように構成されている。照明デバイス６００がスレーブモードに設定されると、プロセッサ６１４は、現在の向きに基づき、入力信号６１０'であって、入力信号６１０'は複数の向きと複数の光設定との間の関連付けを表す情報を含む、入力信号６１０'から光設定を選択するように、及び選択された光設定に従い、少なくとも１つの光源の光出力を制御するように構成されている。複数の照明デバイス６００は、互いに、直接、又はハブ若しくはブリッジなどの中間デバイスを介して、又は例えばメッシュ構造ネットワーク内の更なるデバイスを介して、通信するように構成されてもよい。実施形態では、ユーザはマスタモード／スレーブモードを選択してもよい。付加的に又は代替的に、プロセッサ６１４は、照明デバイス６００の変向を検出すると、照明デバイス６００をマスタモードに設定するように構成されてもよく、及び／又はプロセッサ６１４は、入力信号６１０'を受信すると、照明デバイス６００をスレーブモードに設定するように構成されてもよい。これは、照明デバイス６００をマスタ機能とスレーブ機能との間で切り換えることを可能にし、更には、ユーザが、全ての照明デバイス６００を制御するために照明デバイス６００の何れかの向きを変えることを可能にする。
【００４４】
付加的に又は代替的に、照明デバイスは、マスタ及びスレーブの両方に設定されてもよい。
【００４５】
図７は、本発明による、第１の動作モード又は第２の動作モードに従った照明デバイスを制御するための方法７００を概略的に示す。方法７００は、
照明デバイスをマスタモード又はスレーブモードに設定するステップ７０２と、
照明デバイスの現在の向きを検出するステップ７０４と、
現在の向きに基づき、照明デバイスの光出力を制御するステップ７０６と、
現在の向きに基づき、複数の向きと複数の光設定との間の関連付けを表す情報を含む出力信号を生成するステップ７０８と、
出力信号を更なる照明デバイスに送信するステップ７１０と、
を、又は
照明デバイスによって、更なる照明デバイスから入力信号を受信するステップ７１２と、
照明デバイスの現在の向きを検出するステップ７１４と、
現在の向きに基づき、入力信号から光設定を選択するステップであって、入力信号は、複数の向きと複数の光設定との間の関連付けを表す情報を含む、ステップ７１６と、
選択された光設定に従い照明デバイスの光出力を制御するステップ７１８と、
を含む。
【００４６】
方法は、
照明デバイス６００の変向を検出するステップと、
照明デバイス６００をマスタモードに設定するステップと、
を、又は
入力信号６１０'を受信するステップと、
照明デバイス６００をスレーブモードに設定するステップと、
を更に含んでもよい。
【００４７】
上述の実施形態は、本発明を限定するものではなく、むしろ例示するものであり、当業者は、添付の請求項の範囲から逸脱することなく、多くの代替的実施形態を設計することが可能となる点に留意されたい。
【００４８】
請求項では、括弧内のいかなる参照符号も、特許請求の範囲を限定するものとして解釈されるものではない。動詞「含む（comprise）」及びその活用形の使用は、請求項に記述されたもの以外の要素又はステップが存在することを排除するものではない。要素に先行する不定冠詞「１つの（a）」又は「１つの（an）」は、そのような複数の要素が存在することを排除するものではない。本発明は、いくつかの個別要素を含むハードウェアによって、及び、好適にプログラムされたコンピュータ又はプロセッサによって実装されてもよい。いくつかの手段を列挙するデバイスの請求項では、これらの手段のうちのいくつかは、１つの同一のハードウェア物品によって具体化され得る。特定の手段が、互いに異なる従属請求項内に列挙されているという単なる事実は、これらの手段の組み合わせが、有利に使用され得ないことを示すものではない。
【００４９】
本発明の態様は、コンピュータによって実行され得る、コンピュータ可読記憶デバイス上に記憶されたコンピュータプログラム命令の集合とすることが可能なコンピュータプログラムとして実装され得る。本発明の命令は、限定するものではないが、スクリプト、解釈可能プログラム、ダイナミックリンクライブラリ（dynamic link library；ＤＬＬ）、又はＪａｖａ（登録商標）クラスを含めた、任意の解釈可能又は実行可能なコードメカニズムとすることができる。命令は、完全に実行可能なプログラム、部分的に実行可能なプログラムとして、既存のプログラムに対する修正（例えば、アップデート）として、又は、既存のプログラムに関する拡張（例えば、プラグイン）として提供され得る。更には、本発明の処理の一部は、複数のコンピュータ又はプロセッサにわたって分散され得る。
【００５０】
コンピュータプログラム命令を記憶するために好適な記憶媒体としては、限定するものではないが、ＥＰＲＯＭ、ＥＥＰＲＯＭ、及びフラッシュメモリデバイス、内蔵ハードディスクドライブ及び外付けハードディスクドライブなどの磁気ディスク、リムーバブルディスク、並びにＣＤ−ＲＯＭディスクを含めた、全ての形態の不揮発性メモリが挙げられる。コンピュータプログラムは、そのような記憶媒体上に分散される場合もあり、あるいは、ＨＴＴＰ、ＦＴＰ、電子メールを通じて、又は、インターネットなどのネットワークに接続されているサーバを通じて、ダウンロードするように提供される場合もある。
【図１】
2019515431.tif 000004
【図２】
2019515431.tif 000005
【図３】
2019515431.tif 000006
【図４】
2019515431.tif 000007
【図５】
2019515431.tif 000008
【図６】
2019515431.tif 000009
【図７】
2019515431.tif 000010
【国際調査報告】
2019515431.tif 000011
2019515431.tif 000012